(57)【要約】【課題】器具全体の大型化を抑えながら光源部の高出力化を図ることができる照明器具を提供する。【解決手段】照明器具は、光源部１、レンズ２、放熱部３、遮光板４１及び筐体９を具備する。光源部１は、前方Ｄ１に向けて光を照射する。レンズ２は、光源部１の前方Ｄ１に位置する。放熱部３は、光源部１の後方Ｄ２に位置し、光源部１に対して熱的に接続されている。遮光板４１は、光源部１と一体に設けられている。筐体９は、光源部１、放熱部３及び遮光板４１を収容する。遮光板４１は、前方斜め上方に向けて延びる傾斜板４１３を含む。筐体９は、放熱部３の上方Ｄ３に位置する通気用の窓部８１を有する。【選択図】図５
2020068088.tif 000002
【特許請求の範囲】
【請求項１】
前方に向けて光を照射するように構成された光源部と、
前記光源部の前方に位置するレンズと、
前記光源部の後方に位置し、前記光源部に対して熱的に接続された放熱部と、
前記光源部と一体に設けられた遮光板と、
前記光源部、前記放熱部及び前記遮光板を収容する筐体と、を具備し、
前記遮光板は、前方斜め上方に向けて延びる傾斜板を含み、
前記筐体は、前記放熱部の上方に位置する通気用の窓部を有する
照明器具。
【請求項２】
前記光源部、前記放熱部及び前記遮光板を含む移動ユニットは、前記筐体の内部の所定範囲において前後にスライド自在であり、
前記移動ユニットが前記所定範囲のうち最も後方の位置にセットされた状態で、前記窓部の前端は、前記光源部よりも前方に位置し、かつ前記遮光板の前端よりも後方に位置する
請求項１の照明器具。
【請求項３】
前記移動ユニットが前記所定範囲のうち最も後方の位置にセットされた状態で、前記窓部の後端は、前記放熱部よりも後方に位置する
請求項２の照明器具。
【請求項４】
前記遮光板は、前記傾斜板の先端部から前方に向けて延びる延長片を、更に含む
請求項１から３のいずれか一項の照明器具。
【請求項５】
前記延長片の前後方向の長さは、１０ｍｍ以上である
請求項４の照明器具。
【請求項６】
前記光源部と一体に設けられた第二の遮光板を、更に具備し、
前記第二の遮光板は、前方斜め下方に向けて延びる傾斜板と、この傾斜板の先端部から前方に向けて延びる延長片を含む
請求項４又は５の照明器具。
【発明の詳細な説明】
【技術分野】
【０００１】
本発明は、照明器具に関する。
【背景技術】
【０００２】
スタジオ等で好適に用いられる照明器具が、特許文献１に開示されている。この照明器具は、前方に光を照射する光源部と、光源部の前方に配置されたレンズと、光源部の後方に配置された放熱部と、光源部及び放熱部を収容する筐体を備えている。筐体には通気孔が形成されている。
【先行技術文献】
【特許文献】
【０００３】
【特許文献１】特開２０１８−５６０８８号公報
【発明の概要】
【発明が解決しようとする課題】
【０００４】
上記したタイプの照明器具において、光源部を高出力にした場合には、光源部の発熱量が大きくなるため、より強力な冷却手段が必要になる。これに対応して、例えば大型の送風器を設置したのでは、器具全体の大型化を招く。
【０００５】
本発明は、器具全体の大型化を抑えながら光源部の高出力化を図ることができる照明器具を提供することを、目的とする。
【課題を解決するための手段】
【０００６】
本発明の一態様に係る照明器具は、前方に向けて光を照射するように構成された光源部と、前記光源部の前方に位置するレンズと、前記光源部の後方に位置し、前記光源部に対して熱的に接続された放熱部と、前記光源部と一体に設けられた遮光板と、前記光源部、前記放熱部及び前記遮光板を収容する筐体と、を具備する。
【０００７】
前記遮光板は、前方斜め上方に向けて延びる傾斜板を含み、前記筐体は、前記放熱部の上方に位置する通気用の窓部を有する。
【発明の効果】
【０００８】
本発明は、器具全体の大型化を抑えながら光源部の高出力化を図ることができるという効果を奏する。
【図面の簡単な説明】
【０００９】
【図１】図１は、一実施形態の照明器具の斜視図である。
【図２】図２は、同上の照明器具の主要部分の側面図である。
【図３】図３は、図２のＡ−Ａ線断面図である。
【図４】図４は、同上の主要部分の平面図である。
【図５】図５は、図４のＢ−Ｂ線断面図である。
【図６】図６は、同上の主要部分の背面図である。
【図７】図７は、同上の主要部分が備える移動ユニットの斜視図である。
【図８】図８は、同上の移動ユニットの分解斜視図である。
【図９】図９は、同上の主要部分が備える上カバーの分解斜視図である。
【図１０】図１０は、同上の主要部分において移動ユニットを最も前進させた状態の平面図である。
【図１１】図１１は、図１０のＣ−Ｃ線断面図である。
【図１２】図１２は、同上の主要部分の一変形例の断面図である。
【発明を実施するための形態】
【００１０】
（一実施形態）
図１には、一実施形態の照明器具の全体を示している。本実施形態の照明器具は、舞台、スタジオ等で好適に用いられるスポットライトである。
【００１１】
以下の文中では、図中に矢印で示す前方Ｄ１、後方Ｄ２、上方Ｄ３、下方Ｄ４、左方Ｄ５、右方Ｄ６の各方向を用いて、本実施形態の照明器具の構成を説明する。上記の各方向は、本実施形態の照明器具が水平姿勢（即ち、照射する光の光軸が水平となる姿勢）にあるときを基準とする。前方Ｄ１は、照明装置が光を照射する方向である。
【００１２】
本実施形態の照明装置は、全体として筒型の外形を有する筐体９と、筐体９に収容された移動ユニットＵ１、スライド機構５及び電源装置６を備える（図３、図５等参照）。移動ユニットＵ１は、光源部１、放熱部３及び遮光構造４が一体に組み合わさったユニットである。移動ユニットＵ１、スライド機構５等の詳細な構造については後述する。
【００１３】
筐体９の内部において、移動ユニットＵ１、スライド機構５及び電源装置６は、この順で上から下に並んで位置する。筐体９の内部は、移動ユニットＵ１が収容される空間と、スライド機構５が収容される空間と、電源装置６が収容される空間に分けられる。
【００１４】
まず、筐体９の構造について説明する。
【００１５】
筐体９は、上カバー９１、左右の側部カバー９２、前部カバー９３、後部カバー９４及び底部９５を有する。
【００１６】
上カバー９１は、前後に長い平坦な天板９１０を含む。天板９１０には、通気用の窓部８１が形成されている。窓部８１は、移動ユニットＵ１の上方Ｄ３に位置するように、上カバー９１の中間部から後部にかけて大面積で形成されている。
【００１７】
図９等に示すように、窓部８１は、上カバー９１に形成された複数（本実施形態の照明器具では二つ）の貫通口８１２と、これら複数の貫通口８１２を内側から覆うように上カバー９１の下面に固定される通気可能な網板８１４を有する。網板８１４には、多数の通気孔が形成されている。通気孔は丸形の形状を有するが、スリット状等の他の形状を有してもよい。
【００１８】
窓部８１の前端８１ａは、前後に並ぶ複数の貫通口８１２のうち最も前側の貫通口８１２の前縁である。窓部８１の後端８１ｂは、前後に並ぶ複数の貫通口８１２のうち最も後ろ側の貫通口８１２の後縁である。
【００１９】
本実施形態の照明器具では、窓部８１の貫通口８１２を前後に二つ設けているが、貫通口８１２の数は一つ又は三つ以上でもよい。また、天板９１０に多数の通気孔を直接形成し、網板８１４を用いることなく窓部８１を構成することも可能である。
【００２０】
更に、天板９１０のうち窓部８１から前方Ｄ１に距離をあけた箇所には、窓部８１とは別の小面積の窓部８２が形成されている。窓部８２は、少なくとも放熱部３よりも前方Ｄ１に位置するように、天板９１０の前部に形成されている。
【００２１】
窓部８２は、上カバー９１の前部に形成された網状部分８２１と、網状部分８２１を下方Ｄ４から覆うように上カバー９１の下面に固定された遮光部材８２３を備える。網状部分８２１は、多数の通気孔を有する。
【００２２】
遮光部材８２３は、平坦な遮光板８２３１と、遮光板８２３１の左右の両端部から延長された一対のＬ字状の固定片８２３２を有する。一対の固定片８２３２が上カバー９１に固定された状態で、遮光板８２３１と網状部分８２１の間には上下にスペースが形成される。このスペースと網状部分８２１の多数の通気孔を通じて、窓部８２は外内に通気可能である。
【００２３】
左右の側部カバー９２は、上カバー９１の左右の両端縁部に一対一で連結される。左右の側部カバー９２の各々の下端部には、通気用の窓部８３が形成されている。窓部８３は、多数の通気孔を有する。
【００２４】
前部カバー９３は、上カバー９１の前端縁部に連結され、かつ左右の側部カバー９２の前端縁部に連結される。前部カバー９３が有する開口には、円板状のレンズ２が配される。レンズ２は、光源部１の前方Ｄ１に位置する集光用のレンズであり、具体的にはフレネルレンズである。
【００２５】
後部カバー９４は、上カバー９１の後端縁部に連結され、かつ左右の側部カバー９２の後端縁部に連結されている。
【００２６】
後部カバー９４には、上下に距離をあけた三か所に通気用の窓部８４，８５，８６が形
成されている(図６等参照)。最も上側の窓部８４は、後部カバー９４に形成された貫通口８４２と、貫通口８４２を内側から覆うように後部カバー９４の内面に固定された通気可能な網板８４４を備える。網板８４４は、多数の通気孔を有する。
【００２７】
窓部８４の下方Ｄ４に位置する窓部８５は、後部カバー９４の上下方向の中間部において多数の通気孔が形成された部分である。窓部８５の下方Ｄ４に位置する窓部８６は、後部カバー９４の下部において多数の通気孔が形成された部分である。
【００２８】
底部９５は、各カバー９１，９２，９３，９４により覆われた空間の下方Ｄ４を塞ぐように位置する。底部９５はボックス状であり、その内部には、光源部１に電力を供給する電源装置６が収容されている（図５等参照）。底部９５の側面からは、電源コード６５が引き出されている。電源コード６５は電源装置６に電気接続されている。
【００２９】
本実施形態の照明器具において、上記の構造を備える筐体９には、Ｕ字状のアーム７１と、操作ハンドル７２と、複数（本実施形態では四つ）の反射板７５が、更に装着されている。
【００３０】
アーム７１の左右の両端部分は、左右の側部カバー９２に対して回転自在に連結されている。アーム７１に対して筐体９が回転することで、筐体９の姿勢（ひいては照明器具の姿勢）が変更自在である。アーム７１に対する筐体９の角度は、図示略の固定ハンドルを用いて固定することができる。
【００３１】
操作ハンドル７２は、後部カバー９４の後面に固定されている（図２、図６参照）。筐体９がアーム７１に支持された状態で操作ハンドル７２を上下に操作することで、筐体９の姿勢を変えることができる。
【００３２】
複数の反射板７５は、前部カバー９３に装着された取付枠７４に対して、それぞれ回転自在に連結されている。複数の反射板７５は、レンズ２を通じて外部に照射された光を反射するように構成されている。
【００３３】
次に、本実施形態の照明装置が備える移動ユニットＵ１の構造について、更に詳しく説明する。
【００３４】
図５，図７，図８等に示すように、移動ユニットＵ１は、光源部１、放熱部３及び遮光構造４を具備する。
【００３５】
光源部１は、ＬＥＤ等の発光素子を含む発光体１１と、発光体１１が前面に装着されたベース１３を有する。ベース１３の前面には、発光体１１の周縁部を覆うカバー部材１５が更に装着されている。ベース１３の後面には、複数のヒートパイプ３００が熱伝導可能に配されている。
【００３６】
ベース１３の後方Ｄ２には、複数の放熱フィン３１が位置している。複数の放熱フィン３１は、左右に並んだ姿勢で互いに連結されている。これら複数の放熱フィン３１が、移動ユニットＵ１の放熱部３を形成している。放熱部３は、左右から見たときに矩形状の外形を有する。
【００３７】
複数の放熱フィン３１には、複数のヒートパイプ３００が貫通している。複数のヒートパイプ３００の各々は、光源部１に対して熱的に接続され、かつ放熱部３に対して熱的に接続されている。光源部１と放熱部３は、複数のヒートパイプ３００を介して熱的に接続される。
【００３８】
遮光構造４は、光源部１と一体に設けられている。遮光構造４は、光源部１のベース１３の上縁部に固定される遮光板４１と、ベース１３の下縁部に固定される遮光板４２と、ベース１３の左縁部に固定される遮光板４３と、ベース１３の右端部に固定される遮光板４４を含む。
【００３９】
以下においては区別のため、上に位置する遮光板４１を「第一の遮光板４１」、下に位置する遮光板４２を「第二の遮光板４２」、左に位置する遮光板４３を「第三の遮光板４３」、右に位置する遮光板４４を「第四の遮光板４４」という。
【００４０】
第一の遮光板４１は、ベース１３の前面の上縁部に固定される固定片４１１と、固定片４１１の上縁部から前方斜め上方に向けて延びる傾斜板４１３と、傾斜板４１３の先端部から前方Ｄ１に向けて延びる延長片４１５を、一体に有する。具体的には、第一の遮光板４１を構成する板材を折り曲げることで、固定片４１１、傾斜板４１３及び延長片４１５のそれぞれに相当する部分を形成している。
【００４１】
第一の遮光板４１においては、傾斜板４１３が主体を構成している。傾斜板４１３は、上方Ｄ３の箇所ほど放熱部３から前方Ｄ１に離れるように、全体が傾斜している。
【００４２】
延長片４１５の前後方向の長さ（即ち、傾斜板４１３の先端部から延長片４１５が前方Ｄ１に延びる長さ）は、１０ｍｍ以上であることが好ましく、例えば１０ｍｍから１５ｍｍの範囲内で設定される。
【００４３】
第二の遮光板４２は、ベース１３の前面の下縁部に固定される固定片４２１と、固定片４２１の下縁部から前方斜め下方に向けて延びる傾斜板４２３を、一体に有する。具体的には、第二の遮光板４２を構成する板材を折り曲げることで、固定片４２１と傾斜板４１３のそれぞれに相当する部分を形成している。
【００４４】
第二の遮光板４２においては、傾斜板４２３が主体を構成している。傾斜板４２３は、下方Ｄ４の箇所ほど放熱部３から前方Ｄ１に離れるように、全体が傾斜している。
【００４５】
第三の遮光板４３は、ベース１３の前面の左縁部に固定され、ベース１３から左方Ｄ５に延びるように形成されている。第三の遮光板４３の先端側の部分は、後方Ｄ２に向けてＬ字状に折れ曲がっている。
【００４６】
第四の遮光板４４は、ベース１３の前面の右縁部に固定され、ベース１３から右方Ｄ６に延びるように形成されている。第四の遮光板４４の先端側の部分は、後方Ｄ２に向けてＬ字状に折れ曲がっている。
【００４７】
上記の光源部１、放熱部３及び遮光構造４を含む移動ユニットＵ１は、筐体９の内部の所定範囲において前後にスライド自在である。
【００４８】
図４、図５等に示す状態において、移動ユニットＵ１は、所定範囲のうち最も後方Ｄ２の位置にセットされている。
【００４９】
このように移動ユニットＵ１が最も後退した状態において、筐体９に形成された窓部８１の前端８１ａは、光源部１よりも前方Ｄ１に位置し、かつ、第一の遮光板４１の前端４１ａよりも後方Ｄ２に位置している。本実施形態の照明器具において、第一の遮光板４１の前端４１ａは、延長片４１５の前端である。
【００５０】
更に具体的に述べると、移動ユニットＵ１が最も後退した状態において、窓部８１の前端８１ａの下方Ｄ４に、第一の遮光板４１のうち傾斜板４１３の前後方向の中間部分が位置する。第一の遮光板４１の前端４１ａは、窓部８２の遮光部材８２３よりも後方Ｄ２に（即ち遮光板８２３１よりも後方Ｄ２に）位置する。
【００５１】
第一の遮光板４１の延長片４１５は、筐体９の天板９１０と平行に位置する。延長片４１５と天板９１０の間には、上下方向において僅かな距離（例えば５ｍｍから２０ｍｍの範囲内の距離)が設けられている。本文で用いる平行の文言は、厳密な意味での平行に限定されない。
【００５２】
加えて、移動ユニットＵ１が最も後退した状態において、窓部８１の後端８１ｂは、放熱部３よりも後方Ｄ２に位置している。放熱部３は、その前後方向の全域にわたって窓部８１の下方Ｄ４に位置しているので、放熱部３の熱は、窓部８１を通じて効率的に上方Ｄ３に放散される。
【００５３】
図１０、図１１に示す状態において、移動ユニットＵ１は、所定範囲のうち最も前方Ｄ１の位置にセットされている。
【００５４】
このように移動ユニットＵ１が最も前進した状態において、筐体９に形成された窓部８１の前端８１ａは、光源部１よりも後方Ｄ２に位置し、かつ、放熱部３の後端よりも前方Ｄ１に位置する。具体的には、窓部８１の前端８１ａの下方Ｄ４に、放熱部３の前後方向の中間部分よりも前側の部分が、位置する。
【００５５】
第一の遮光板４１の延長片４１５は、窓部８２の遮光部材８２３の前端部分（即ち遮光板８２３１の前端部分）の下方Ｄ４に位置する。延長片４１５は、遮光板８２３１と平行である。延長片４１５と遮光板８２３１の間には、上下に僅かな距離（例えば１ｍｍから１０ｍｍの範囲内の距離)が設けられている。
【００５６】
移動ユニットＵ１が最も前進した状態においても、放熱部３は、その大部分が窓部８１の下方Ｄ４に位置している。そのため、放熱部３の熱は、窓部８１を通じて効率的に上方Ｄ３に放散される。
【００５７】
次に、本実施形態の照明装置が備えるスライド機構５の構造について、更に詳しく説明する。
【００５８】
スライド機構５は、移動ユニットＵ１を前後に移動させるための機構である。
【００５９】
図３等に示すように、スライド機構５は、前後方向を軸方向とするねじ軸５１と、ねじ軸５１の後端部に固定されたハンドル５２と、ねじ軸５１に噛み合うナット部材５３と、前後方向を軸方向とするスライド軸５４を備える。
【００６０】
ねじ軸５１は、中心軸まわりに回転自在となるように筐体９に支持されている。ねじ軸５１の後端部は、後部カバー９４から外側に突出しており、ねじ軸５１の後端部に固定されたハンドル５２は、筐体９の後方Ｄ２において操作可能に露出している。ナット部材５３は、移動ユニットＵ１の放熱部３に固定されている。
【００６１】
スライド軸５４は、ねじ軸５１と平行な姿勢で筐体９に支持されている。スライド軸５４と移動ユニットＵ１は、前後方向にスライド自在に連結されている。
【００６２】
したがって、本実施形態の照明装置では、ハンドル５２を正逆回転させることで、スライド機構５を介して、移動ユニットＵ１を所定範囲内で前後に移動させることができる。
【００６３】
以上、添付図面に基づいて説明した本実施形態の照明器具によれば、器具全体の大型化を抑えながら（言い換えれば、器具全体の小型化を図りながら）、光源部１の高出力化を図ることができる。つまり、本実施形態の照明器具では、放熱部３の上方Ｄ３に位置する窓部８１を、筐体９の天板９１０において前後に大きな範囲で形成しているので、送風器等を追加して器具全体の大型化を招くことなく、放熱部３から外部への放熱を効率的に行うことができる。そのため、光源部１の高出力化が可能である。
【００６４】
しかも、本実施形態の照明器具では、窓部８１を前後に大きな範囲で形成しているにも関わらず、窓部８１からの光漏れは有効に抑制される。つまり、本実施形態の照明器具では、光源部１と窓部８１の間に位置する第一の遮光板４１の大部分が、上方Ｄ３の箇所ほど前方Ｄ１に位置するように傾斜しているので、窓部８１の前端８１ａが光源部１よりも前方Ｄ１にあっても、光漏れは有効に抑制される。
【００６５】
更に、第一の遮光板４１の先端部分が、前方Ｄ１に延びる延長片４１５であることから、筐体９内で光が反射、散乱等を生じても、その光が窓部８１にまで至ることは、延長片４１５の存在によって有効に抑制される。
【００６６】
加えて、本実施形態の照明器具では、第一の遮光板４１の傾斜部分（即ち傾斜板４１３）と、これの後方Ｄ２に位置する放熱部３との間に、空気が流動するに十分な空間Ｓ１が形成される（図５等参照）。空間Ｓ１は、上方Ｄ３の箇所ほど前後方向に大きく形成される。空間Ｓ１は、その上方Ｄ３に位置する窓部８１と連通する。そのため、放熱部３から外部への放熱を、放熱部３の前方Ｄ１に形成された空間Ｓ１を介して、より効率的に行うことができる。
【００６７】
第一の遮光板４１の傾斜部分（即ち傾斜板４１３）の角度と、第二の遮光板４２の傾斜部分（即ち傾斜板４２３）の角度は、光源部１から照射される光を阻害しない角度であることが好ましく、詳しくは、照射される光の拡がりに沿った角度であることが好ましい。
【００６８】
（変形例）
次に、本実施形態の照明装置の変形例について説明する。
【００６９】
図１２には、照明装置の一変形例の主要部分の断面を示している。図１２に示す断面は、図４のＢ−Ｂ線に相当する箇所で切断した断面である。
【００７０】
一変形例において、第二の遮光板４２は、固定片４２１と傾斜板４２３に加えて、傾斜板４２３の先端部から前方Ｄ１に向けて延びる延長片４２５を一体に有する。延長片４２５の前後方向の長さ（即ち、傾斜板４２３の先端部から前方Ｄ１に延びる長さ）は、１０ｍｍ以上であることが好ましく、例えば１０ｍｍから１５ｍｍの範囲内で設定される。
【００７１】
第一の遮光板４１と同様に、第二の遮光板４２が延長片４２５を有することで、照明装置からの光漏れは一層抑制される。
【００７２】
以上、スポットライトとして好適に用いられる照明装置の構成について、一実施形態と変形例に基づいて説明したが、照明装置の構成はこれに限定されない。照明装置の各構成（例えば光源部１、レンズ２、放熱部３、遮光構造４、スライド機構５、電源装置６、窓部８１，…８６、筐体９等の構成）において適宜の変更を行うことや、公知の技術を適宜に組み合わせることが可能である。
【００７３】
（態様）
上記した実施形態及びこれの変形例から理解されるように、第１の態様に係る照明器具は、光源部（１）、レンズ（２）、放熱部（３）、遮光板（４１）及び筐体（９）を具備する。光源部（１）は、前方（Ｄ１）に向けて光を照射するように構成されている。レンズ（２）は、光源部（１）の前方（Ｄ１）に位置する。放熱部（３）は、光源部（１）の後方（Ｄ２）に位置し、光源部（１）に対して熱的に接続されている。遮光板（４１）は、光源部（１）と一体に設けられている。筐体（９）は、光源部（１）、放熱部（３）及び遮光板（４１）を収容する。遮光板（４１）は、前方斜め上方に向けて延びる傾斜板（４１３）を含む。筐体（９）は、放熱部（３）の上方（Ｄ３）に位置する通気用の窓部（８１）を有する。
【００７４】
したがって、第１の態様の照明器具では、放熱部（３）から外部への放熱を効率的に行うために、窓部（８１）を前後に大きな範囲で形成しても、窓部（８１）からの光漏れは遮光板（４１）によって効果的に抑えることができる。加えて、遮光板（４１）と放熱部（３）の間には空間（Ｓ１）が形成され、この空間（Ｓ１）を介して、放熱部（３）から外部への放熱が効率的に行われる。そのため、第１の態様の照明器具によれば、器具全体の大型化を抑えながら、光源部（１）の高出力化を図ることができる。
【００７５】
第２の態様に係る照明器具は、第１の態様との組み合わせによって実現される。第２の態様の照明器具において、光源部（１）、放熱部（３）及び遮光板（４１）を含む移動ユニット（Ｕ１）は、筐体（９）の内部の所定範囲において前後にスライド自在である。移動ユニット（Ｕ１）が所定範囲のうち最も後方（Ｄ２）の位置にセットされた状態で、窓部（８１）の前端（８１ａ）は、光源部（１）よりも前方（Ｄ１）に位置し、かつ遮光板（４１）の前端（４１ａ）よりも後方（Ｄ２）に位置する。
【００７６】
したがって、第２の態様の照明器具によれば、移動ユニット（Ｕ１）が最も後退した状態で、放熱部（３）から外部への放熱を、窓部（８１）を通じて効率的に行い、かつ、窓部（８１）からの光漏れは遮光板（４１）によって効果的に抑えることができる。
【００７７】
第３の態様に係る照明器具は、第２の態様との組み合わせによって実現される。第３の態様の照明器具において、移動ユニット（Ｕ１）が所定範囲のうち最も後方（Ｄ２）の位置にセットされた状態で、窓部（８１）の後端（８１ｂ）は、放熱部（３）よりも後方（Ｄ２）に位置する。
【００７８】
したがって、第３の態様の照明器具によれば、移動ユニット（Ｕ１）が最も後退した状態で、放熱部（３）から外部への放熱を、窓部（８１）を通じて更に効率的に行うことができる。
【００７９】
第４の態様に係る照明器具は、第１から第３のいずれか一つの態様との組み合わせによって実現される。第４の態様の照明器具において、遮光板（４１）は、傾斜板（４１３）の先端部から前方（Ｄ１）に向けて延びる延長片（４１５）を、更に含む。
【００８０】
したがって、第４の態様の照明器具によれば、筐体（９）内で光が反射、散乱等を生じる場合でも、窓部（８１）からの光漏れを、延長片（４１５）を含む遮光板（４１）によって更に効果的に抑えることができる。
【００８１】
第５の態様に係る照明器具は、第４の態様との組み合わせによって実現される。第５の態様の照明器具において、延長片（４１５）の前後方向の長さは、１０ｍｍ以上である。
【００８２】
したがって、第５の態様の照明器具によれば、窓部（８１）からの光漏れを、延長片（４１５）を含む遮光板（４１）によって更に効果的に抑えることができる。
【００８３】
第６の態様に係る照明器具は、第４又は第５の態様との組み合わせによって実現される。第６の態様の照明器具は、光源部（１）と一体に設けられた第二の遮光板（４２）を、更に具備する。第二の遮光板（４２）は、前方斜め下方に向けて延びる傾斜板（４２３）と、この傾斜板（４２３）の先端部から前方（Ｄ１）に向けて延びる延長片（４２５）を含む。
【００８４】
したがって、第６の態様の照明器具によれば、筐体（９）から外部への光漏れを、延長片（４２５）を含む第二の遮光板（４２）によって、更に効果的に抑えることができる。
【符号の説明】
【００８５】
１  光源部
２  レンズ
３  放熱部
４１  遮光板（第一の遮光板）
４１ａ  前端
４１３  傾斜板
４１５  延長片
４２  遮光板（第二の遮光板）
４２３  傾斜板
４２５  延長片
８１  窓部
８１ａ  前端
８１ｂ  後端
９  筐体
Ｄ１  前方
Ｄ２  後方
Ｄ３  上方
Ｕ１  移動ユニット
【図１】
2020068088.tif 000003
【図２】
2020068088.tif 000004
【図３】
2020068088.tif 000005
【図４】
2020068088.tif 000006
【図５】
2020068088.tif 000007
【図６】
2020068088.tif 000008
【図７】
2020068088.tif 000009
【図８】
2020068088.tif 000010
【図９】
2020068088.tif 000011
【図１０】
2020068088.tif 000012
【図１１】
2020068088.tif 000013
【図１２】
2020068088.tif 000014